(57)【特許請求の範囲】
【請求項１】
前面が開口した箱形形状に構成され、左右の両側壁にそれぞれ把持用の貫通穴が形成された本体枠と、該本体枠の開口を塞ぐように該本体枠一側方で回動可能に軸支された前扉と、を備える遊技機において、
前記貫通穴の上縁部に取り付けられ、前記貫通穴の上縁部に手が直接触れるのを防止する断面略Ｕ字状の保護部材と、凹室を形成したカバー部材と、を有し、
前記保護部材は、本体枠の側壁の外側から内側にかけて覆った状態に配設されるとともに、前記本体枠の側壁内面と接する部位に保護部材止着穴が形成され、
前記カバー部材は、前記凹室と、該凹室の開口側の下半部から延出するように形成された延出部と、前記凹室の開口側の端部に沿って該端部と直交するように形成された外縁部と、該外縁部に設けられて当該カバー部材を前記本体枠の側壁に固定するための複数のカバー部材止着穴と、を備え、前記複数のカバー部材止着穴には前記保護部材止着穴に対応した位置に設けられた止着穴が含まれ、
前記保護部材が取り付けられる貫通穴の上縁部のうち本体枠よりも外側部分は、前記保護部材の厚さ分だけ座繰られ、
前記貫通穴の上縁部に前記保護部材が取り付けられた状態では、前記保護部材の外側面と前記本体枠の側壁の外側面とが略面一となる状態に配設され、
前記保護部材を前記貫通穴の上縁部に取り付けた後に、前記カバー部材の延出部が本体枠内側から前記貫通穴へ差し込まれ、該カバー部材の外縁部を前記貫通穴の周囲の縁部に突き当てることにより、前記貫通穴と前記カバー部材の凹室が連通し、かつ該凹室の内側領域が前記貫通穴よりも上側の領域に亘る状態となり、
前記保護部材は、前記カバー部材と前記本体枠の間に挟まれた状態となり、
前記カバー部材の外縁部のうち、前記本体枠の内面との間に前記保護部材が介在する部分は、該保護部材の厚みの分だけ、他の部分よりも本体枠の内側方向にずれた状態で形成され、
前記カバー部材止着穴および前記保護部材止着穴を介して、止着部材により前記カバー部材と前記保護部材とが一括して前記本体枠の側壁に固定されていることを特徴とする遊技機。
【請求項２】
前記本体枠の内部に、複数の図柄が可変表示可能な可変表示装置を載置させる載置部材を備え、
前記各保護部材には、
前記載置部材の左右の縁部を支持して該載置部材を略水平状態に保つ支持部がそれぞれ一体に設けられ、
前記保護部材の支持部は、
前後に長尺な上面部と、
前記上面部の後端側から、前方やや上側に突出して屈曲形成され、該上面部との協働で前記載置部材の後部を挟み込む挟み部と、
前記上面部の手前側部分を略垂直下方に屈曲して形成した固定部と、
を備え、
前記載置部材は、前記可変表示装置を載置するための載置面と、
該載置面の手前側を略垂直下方に屈曲して形成した手前側面と、
を備え、
前記載置部材を、前記本体枠の前方から前記支持部の上面部上をスライドさせて、該載置部材の後部の左右縁部がそれぞれ前記挟み部と前記上面部とにより挟み込み、かつ、該載置部材の後端の左右部分がそれぞれ前記挟み部の基端部に当接するまで押し込み、前記固定部と前記手前側面を止着することにより、該載置部材が位置決めされていることを特徴とする請求項１記載の遊技機。
【発明の詳細な説明】
【技術分野】
【０００１】
本発明は、左右両側壁にそれぞれ把持用の開口部が形成された本体枠を備える遊技機に関する。
【背景技術】
【０００２】
遊技機、例えば、パチスロ遊技機は、前面が開口した箱形形状の本体枠と、この本体枠の開口部の一側部に回動可能に軸支されることで、該本体枠に対し開閉可能とされ、常時は開口部を塞ぐ状態にロックされた前扉と、を備える概略構成となっている。このうち、本体枠の内部には、ホッパー等のコイン払出装置、複数の図柄を可変表示可能なリール式等の可変表示装置、及び制御装置などが備えられる一方で、前扉には各種操作部、ならびに、これら操作部の操作状態を検出する検出手段（センサ等）などが備えられている。このようなパチスロ遊技機の本体枠は通常木製であるが、この本体枠の左右の側壁には、該側壁を切り欠くことで、当該パチスロ遊技機を持ち運ぶ際に手を差し入れて把持するための貫通穴が設けられている。また、パチスロ遊技機は、遊技店の島設備に、互いに隣り合って設置されていることが多い。
【発明の開示】
【発明が解決しようとする課題】
【０００３】
しかしながら、上記の構成では、何らかのものを貫通穴から差し込んで、可変表示装置などに不正行為が行われる可能性がある。
【０００４】
また、本体枠には、ホッパー、主制御装置、従制御装置、変動表示装置等の電気的に駆動する遊技装置類を収納しているため、本体枠内部で電気的にノイズが発生しやすい状況にある。特に、コインの払い出しを行うホッパーでは、一度に大量のコインの払い出しを行うことがあり、その際にもノイズが発生しやすい。そのような状況で発生したノイズによって主制御装置が正常に動かなくなることにより、遊技に影響を及ぼす可能性がある。また、遊技店では、複数のパチスロ機が互いに隣り合って設置されているため、各遊技機どうしで、互いにノイズの影響を与えたり、受けたりする可能性がある。
【０００５】
この発明は、上記の問題に鑑みなされたもので、貫通穴を介して不正物が差し込まれてしまうことを防止可能な遊技機を提供することを目的とし、より望ましくは、隣り合って設置された遊技機どうしで、ノイズの影響を与えたり、受けてしまうことをも防止する遊技機を提供することを目的とする。
【課題を解決するための手段】
【０００６】
上記課題を解決するため、請求項１に記載の発明は、前面が開口した箱形形状に構成され、左右の両側壁にそれぞれ把持用の貫通穴が形成された本体枠と、該本体枠の開口を塞ぐように該本体枠一側方で回動可能に軸支された前扉と、を備える遊技機において、前記貫通穴の上縁部に取り付けられ、前記貫通穴の上縁部に手が直接触れるのを防止する断面略Ｕ字状の保護部材と、凹室を形成したカバー部材と、を有し、前記保護部材は、本体枠の側壁の外側から内側にかけて覆った状態に配設されるとともに、前記本体枠の側壁内面と接する部位に保護部材止着穴が形成され、前記カバー部材は、前記凹室と、該凹室の開口側の下半部から延出するように形成された延出部と、前記凹室の開口側の端部に沿って該端部と直交するように形成された外縁部と、該外縁部に設けられて当該カバー部材を前記本体枠の側壁に固定するための複数のカバー部材止着穴と、を備え、前記複数のカバー部材止着穴には前記保護部材止着穴に対応した位置に設けられた止着穴が含まれ、前記保護部材が取り付けられる貫通穴の上縁部のうち本体枠よりも外側部分は、前記保護部材の厚さ分だけ座繰られ、前記貫通穴の上縁部に前記保護部材が取り付けられた状態では、前記保護部材の外側面と前記本体枠の側壁の外側面とが略面一となる状態に配設され、前記保護部材を前記貫通穴の上縁部に取り付けた後に、前記カバー部材の延出部が本体枠内側から前記貫通穴へ差し込まれ、該カバー部材の外縁部を前記貫通穴の周囲の縁部に突き当てることにより、前記貫通穴と前記カバー部材の凹室が連通し、かつ該凹室の内側領域が前記貫通穴よりも上側の領域に亘る状態となり、前記保護部材は、前記カバー部材と前記本体枠の間に挟まれた状態となり、前記カバー部材の外縁部のうち、前記本体枠の内面との間に前記保護部材が介在する部分は、該保護部材の厚みの分だけ、他の部分よりも本体枠の内側方向にずれた状態で形成され、前記カバー部材止着穴および前記保護部材止着穴を介して、止着部材により前記カバー部材と前記保護部材とが一括して前記本体枠の側壁に固定されていることを特徴としている。 
【０００７】
ここで、保護部材は、例えば、断面略Ｕ字状に形成された板状のものであり、該保護部材の開口側が側壁の貫通穴の上縁部に外挿されることで、該上縁部に配設されている。この保護部材は、例えば、金属板等を折り曲げ形成したものである。
【０００８】
請求項２に記載の発明は、請求項１に記載の遊技機において、前記本体枠の内部に、複数の図柄が可変表示可能な可変表示装置を載置させる載置部材を備え、前記各保護部材には、前記載置部材の左右の縁部を支持して該載置部材を略水平状態に保つ支持部がそれぞれ一体に設けられ、前記保護部材の支持部は、前後に長尺な上面部と、前記上面部の後端側から、前方やや上側に突出して屈曲形成され、該上面部との協働で前記載置部材の後部を挟み込む挟み部と、前記上面部の手前側部分を略垂直下方に屈曲して形成した固定部と、を備え、前記載置部材は、前記可変表示装置を載置するための載置面と、該載置面の手前側を略垂直下方に屈曲して形成した手前側面と、を備え、前記載置部材を、前記本体枠の前方から前記支持部の上面部上をスライドさせて、該載置部材の後部の左右縁部がそれぞれ前記挟み部と前記上面部とにより挟み込み、かつ、該載置部材の後端の左右部分がそれぞれ前記挟み部の基端部に当接するまで押し込み、前記固定部と前記手前側面を止着することにより、該載置部材が位置決めされていることを特徴としている。
【０００９】
挟み部は、例えば、上面部の後部を、前方やや上側に折り曲げて形成されたものである。
【発明の効果】
【００１０】
この請求項１記載の発明によれば、凹室を形成したカバー部材を、本体枠内側から貫通穴と該凹室が連通するように取り付けられているので、貫通穴を介して凹室の内側領域まで指を挿入して遊技機を持ち運ぶことができる。また、カバー部材が、前記凹室と、該凹室の開口側の下半部から延出するように形成された延出部と、前記凹室の開口側の端部に沿って該端部と直交するように形成された外縁部とを備えているので、該凹室より不正物が侵入することを防止することができ、例えば、不正に遊技媒体を払い出されたり不正に遊技内容を変更されることを防止することができる。
【００１１】
また、カバー部材が本体枠の左右の両側壁に貫通穴よりも上側の領域に亘って取り付けられているので、貫通穴から挿入した指を、貫通穴よりも上側の領域に差し入れるようにして、本体枠内側で折り曲げることが可能になる。従って、遊技機を持ち運ぶ際に貫通穴の上縁部を掴みやすくなる。
【００１２】
また、各貫通穴の上縁部に配設され、断面略Ｕ字状に形成された保護部材により、該上縁部に手が直接触れるのを防止できるので、貫通穴に手を差し入れて遊技機を持ち運ぶ際に、手が貫通穴の角や断面部分などに触れることがなくなって手触りがよくなる。
【００１３】
さらに、傾斜壁面部は凹室部の内側領域を上方に向けて狭めるように傾斜しているので、カバー部材を側壁へ取り付けた際に、機枠内部のスペースを有効活用でき、また、貫通穴から挿入して折り曲げた指の先を貫通穴よりも上側の領域に確実に誘導でき、加えて、凹室部の内面の隅部がＲ形状（曲面形状）となっているので、例えば凹室部を清掃する場合に、該凹室部が拭きやすい。
【００１４】
ここで、遊技媒体とは、例えば、コイン或いは遊技球などである。不正物とは、例えば、針金、棒等の遊技には関係のないもので、遊技機の誤動作を招く虞のあるもののことである。
【００１５】
この請求項２記載の発明によれば、可変表示装置を載置させる載置部材を支持する支持部が、保護部材と一体的に設けられているので、部品点数が少なくて済む。しかも、保護部材を本体枠に取り付けることで、支持部の取り付けも同時に成し得るので、遊技機の製造工程を短縮でき、人件費などのコストダウンが可能となる。さらに、保護部材の支持部は、貫通穴よりも上方に位置するので、不正行為を行う目的で、貫通穴を介して貫通穴より上側部分に何らかのものを差し込もうとする際に、この侵入を載置部材又は支持部が阻止できるので、不正行為が行われる可能性をさらに低減できる。
【００１６】
また、載置部材を取り付ける際には、該載置部材を、本体枠の前方から支持部の上面部上をスライドさせて、該載置部材の後部の左右縁部がそれぞれ挟み部と上面部との間隔に挟み込まれ、かつ、該載置部材の後端の左右部分がそれぞれ挟み部の基端部に当接するまで押し込むことで、該載置部材が位置決めされるので、従来に比べて、取り付け作業の際の位置決めが容易になる。
【発明を実施するための最良の形態】
【００１７】
以下、図面を参照して、本発明の実施の形態について説明する。本実施の形態は、本発明に係る遊技機の適例としてのスロットマシン、中でも特にパチスロ遊技機について説明を行うものである。
【００１８】
［第１の実施の形態］先ず、図２に示すように、パチスロ遊技機１００の本体部１の機枠（本体枠）１ａの片側には前扉２が開閉可能に軸止されており、図１に示すように、前扉２を閉じた状態では本体部１の前面に前扉２が設けられた状態となるようにされている。
【００１９】
図１に示すように、前扉２の前面には、音声による遊技の演出を行うスピーカ部３，３、表示により遊技の演出を行う演出表示装置４ａを透視可能な演出表示窓４、内部に設けられたリール２０ａ，２０ｂ，２０ｃを透視可能なリール表示窓５、コインの投入を行うためのコイン投入口６、コインのクレジット枚数を表示するクレジット枚数表示部７、コインの払い出し枚数を表示する払出枚数表示部８、限度枚数（例えば、３枚）のコインのベットを行うためのマックスベットボタン９、コインのベットを１枚ずつ行うための１ベットボタン１０、遊技の進行に関する表示を行う遊技進行表示部１１、クレジットされたコインの払い出しを行うためのコイン返却スイッチ１２、リール２０ａ〜２０ｃの回転を開始させることで可変表示遊技を開始するためのスタートレバー１３、リール２０ａ，２０ｂ，２０ｃの回転をそれぞれ停止させるためのストップボタン１４ａ，１４ｂ，１４ｃ、前扉２を開くための鍵が差し込まれる鍵穴１５、前扉２の前面の下部領域を構成する飾り板部１６等が設けられ、さらに、前扉２の前面の最下部には灰皿１７及び払い出されたコインを貯留する下皿１８が配設されている。
【００２０】
図２に示すように、本体部１の機枠１ａの内部には、複数の図柄を可変表示可能なリール装置（可変表示装置）２００、コインの貯留及び下皿１８へのコインの払い出しを行うホッパー８０、このホッパー８０からオーバーフローしたコインを貯留する貯留箱９０、電源基板（図示略）を収容する基板ボックス７５、遊技に関する制御を行う制御装置７０等が設けられている。
【００２１】
このうち、制御装置７０は、ホッパー８０によるコインの払い出し動作、リール装置２００によるリール２０ａ〜２０ｃを回転動作の他、演出表示装置４ａやその他の表示部による表示動作の制御を行うようになっている。
【００２２】
また、リール装置２００は、各々複数の図柄が付されたリール２０ａ〜２０ｃ、該リール２０ａ〜２０ｃを回転駆動させるためのステッピングモータ（図示略）、リール２０ａ〜２０ｃ同士を仕切る仕切り部材２１，２１，２１、及び、前面開口した箱形形状に構成されてリール２０ａ〜２０ｃを収容したリール収容部材２２等を備えている。このリール装置２００は、機枠１ａの内側に略水平状態に固定された載置部材６０（詳細は後述）の上面に載置されている。
【００２３】
パチスロ遊技機１００は、以上のように概略構成されていて、以下に説明するようにして遊技が行われるようになっている。
【００２４】
先ず、コイン投入口６よりコインを投入した状態で、或いは、マックスベットボタン９又は１ベットボタン１０の操作によりベットを行った状態で、スタートレバー１３を操作する。すると、リール装置２００のステッピングモータにより、リール２０ａ〜２０ｃが回転駆動され、これによりリール２０ａ〜２０ｃに付された複数の図柄がリール表示窓５にて移動する可変表示遊技が行われる。その後、ストップボタン１４ａ〜１４ｃを操作することでリール２０ａ〜２０ｃの回転駆動がそれぞれ停止され、リール表示部５において、各リール２０ａ〜２０ｃ毎に３つずつの図柄が停止表示される。このように、コイン投入口６にコインが投入されたことなどに基づき所定の遊技が行われた結果、リール表示部５にて予め設定された有効な表示ライン上において停止表示された図柄の組合せに応じて、コインの払い出しの有無などが決定される。また、特に、可変表示遊技の結果、リール表示部５にて停止表示された図柄が、表示ライン上において特定表示結果（例えば、７，７，７のぞろ目など）となると特別遊技状態を発生して所定の遊技価値（例えば、コインの大量獲得が可能な状態など）を付与可能となる。通常の遊技中、又は特別遊技状態において、コインの払い出しがある場合には、所定数のコインがクレジットされるか、又は、ホッパー８０から下皿１８に払い出される。
【００２５】
次に、本発明に係る要部の構成について説明する。
【００２６】
先ず、図３に示すように、本体部１の機枠（本体枠）１ａは、例えば、各々合板などからなる上下の面板と左右の側壁１０１，１０２とを矩形枠状に組み立てる一方で、該矩形枠の裏側に、同じく合板などからなる奥側の面板を設けることで、前面が開口した箱形形状に構成されている。なお、機枠１ａは、樹脂などを、前面が開口した箱形形状に成型したものであってもよい。
【００２７】
そして、本発明に係るパチスロ遊技機１００は、機枠１ａの内面の、例えば、全域に、導電性材（例えばアルミ箔シール）の貼付が施されている。
【００２８】
このような機枠１ａの左右の両側壁１０１，１０２には、図３に示すように、当該パチスロ遊技機１００を持ち運ぶ際に手を差し入れて両側壁１０１，１０２を把持するための貫通穴１１１，１１２が、それぞれ形成されている。この貫通穴１１１，１１２は、その長手方向が、例えば、当該パチスロ遊技機１００のほぼ前後方向となっている。なお、この開口部１１１，１１２は、手前側（前側）が低くなるように、その長手方向が傾斜していてもよいし、該長手方向が略水平であってもよい。また、両側壁１０１，１０２には、本発明に係る保護部材４０，４０及びカバー部材１２０を取り付けるための止着穴１１６，１１７，１１８（図５）等が設けられている。
【００２９】
このような貫通穴１１１，１１２には、図４及び図６に示すように、カバー部材１２０と保護部材４０，４０が配設されている。すなわち、先ず、保護部材４０，４０が貫通穴１１１，１１２の上縁部の外側から内側にかけての部分を覆った状態で機枠１ａの内側から取り付けられ、次に、カバー部材１２０が、機枠１ａの内側から貫通穴１１１，１１２と該凹室が連通するようにして取り付けられている。さらに、保護部材４０，４０の支持部５０，５０（後述）には、リール装置２００が搭載される載置部材６０が固定されている。
【００３０】
このうち、保護部材４０，４０は、図３に示すように、例えば、金属板を折り曲げ形成したものであり、貫通穴１１１，１１２の上縁部に手が直接触れるのを防止するための本体部４１，４１と、リール装置２００が載置された載置部材６０を支持するための支持部５０とを備えて概略構成されている。
【００３１】
保護部材４０，４０の本体部４１，４１は、図３及び図６（貫通穴１１１側の図示を省略）に示すように、例えば、金属板等を断面略Ｕ字状に折り曲げ形成したものであり、その前後幅が、貫通穴１１１，１１２の前後幅と略等しく設定されている。
【００３２】
他方、保護部材４０，４０の支持部５０，５０は、載置部材６０の左右の縁部の一方ずつを支持して該載置部材６０を略水平状態に保つためものであり、当該保護部材４０，４０の本体部４１，４１と一体形成されている。この支持部５０，５０は、例えば、前後に長尺な平面に形成された上面部５１，５１と、この上面部５１，５１の後端側（具体的には、例えば、後端部）から、前方やや上側に突出して設けられ、該上面部５１，５１との協働で載置部材６０の後部を挟み込む挟み部５２，５２とを備えている。保護部材４０，４０は、例えば、この支持部５０，５０と本体部４１，４１とを含めて、金属板等を折り曲げ形成したものであり、本体部４１，４１の一方の側を含んで、該一方の側から略垂直上方に延びる垂直面４４，４４の上部を、該垂直面４４，４４と略直交するように折り曲げ形成することで、支持部５０，５０の上面部５１，５１が設けられている。また、保護部材４０，４０の垂直面４４，４４には、該保護部材４０，４０を機枠１ａの側壁１０１，１０２に取り付けるための止着穴４３，…が形成されている。
【００３３】
加えて、保護部材４０，４０の支持部５０，５０には、載置部材６０の手前側面６２（後述）を固定するための固定部５５，５５が形成されている。この固定部５５，５５は、例えば、上面部５１，５１の手前側部分を、略垂直下方に折り曲げ形成したものであり、該固定部５５，５５には、ビスなどの止着部材が螺入される止着穴５６，５６が形成されている。
【００３４】
このような保護部材４０，４０の機枠１ａの側壁１０１，１０２への取り付けは、以下のようにして行う。すなわち、保護部材４０，４０は、該保護部材４０，４０の本体部４１，４１を略コ字形状の開口側を貫通穴１１１，１１２の上縁部に外挿させることで、機枠１ａの側壁１０１，１０２のうち、貫通穴１１１，１１２の上縁部の外側から内側にかけての部分を覆った状態で配設され、機枠１ａの内側から止着穴４３，…を介して側壁１０１，１０２の止着穴１１６，１１７（図５）に対してビスなどの止着部材を螺入することで、保護部材４０，４０が側壁１０１，１０２に固定される。また、この際、支持部５０が、貫通穴１１１，１１２の外側から内側にかけての部分を覆う本体部４１，４１及び垂直面４４，４４よりも上側となるようにされる。なお、保護部材４０，４０が取り付けられる貫通穴１１１，１１２の上縁部、例えば、特に、該上縁部のうち機枠１ａよりも外側部分は、保護部材４０，４０の厚さ分だけ座繰られていて、該上縁部に保護部材４０，４０が取り付けた状態では、保護部材４０，４０の外側面と側壁１０１，１０２の外側面とが略面一となるようにされる。
【００３５】
このように貫通穴１１１，１１２の上縁部に保護部材４０，４０の本体部４１，４１が配設されることで、貫通穴１１１，１１２に手を差し入れてパチスロ遊技機１００を持ち運ぶ際に該上縁部に手が直接触れてしまうことが防止されている。
【００３６】
なお、貫通穴１１１，１１２の上縁部にそれぞれ取り付けた保護部材４０，４０は同じ符号を用いたが、保護部材４０，４０は貫通穴１１１，１１２の上縁部にそれぞれ取り付けた状態で互いに左右面対称になっている。
【００３７】
また、カバー部材１２０は、図７に示すように、例えば、樹脂などを凹室形状に成形することで概略構成されている。すなわち、このカバー部材１２０は、その本体部である凹室部（凹室）１２０ａと、該凹室部１２０ａの開口側の下半部から延出するように形成された延出部１２１と、凹室部１２０ａの開口側の端部に沿って、該端部と直交するように形成された外縁部１２９と、この外縁部１２９に設けられ、当該カバー部材１２０を両側壁１０１，１０２に固定するための止着穴１３１，１３２とを備えている。このうち、凹室部１２０ａは、平板状に形成され、機枠１ａへの取付状態では、略水平となる底面部１２２と、この底面部１２２に対し略垂直に立設され、機枠１ａへの取付状態では、該底面部１２２よりも機枠１ａの内側に位置する奥側壁面部１２３と、奥側壁面部１２３の上側に連接され、該凹室部１２０ａの内側領域を上方に向けて狭めるように傾斜した傾斜壁面部１２４と、この傾斜壁面部１２４と連接され、機枠１ａへの取付状態では、略水平に設けられる上面部１２５と、前記底面部１２２に対し略垂直に立設され、奥側壁面部１２３と傾斜壁面部１２４と上面部１２５と連接している前側及び後側の壁面部１２６，１２７を備えている。ここで、奥側壁面部１２３の上下幅は、貫通穴１１１，１１２の上下幅とほぼ等しいか、又は貫通穴１１１，１１２の上下幅よりも若干大きく設定されている。さらに、凹室部１２０ａは、その開口の前後幅が貫通穴１１１，１１２の前後幅と略等しく設定されている一方、開口の上下幅が貫通穴１１１，１１２の上下幅よりも大きく設定されている。また、延出部１２１は、断面略コ字状をなし、その内面が凹室部１２０ａの内面と面一とされている。この延出部１２１は、貫通穴１１１，１１２の底面及び側面を覆うためのものであり、貫通穴１１１，１１２の底面及び側面をちょうど覆う寸法に設定されている。なお、上記止着穴１３１，１３２は、上記外縁部１２９に形成された突出片１３３，１３４に設けられている。
【００３８】
このようなカバー部材１２０の凹室部１２０ａの外側に導電性材（例えばアルミ箔シール）の貼付が施されている。
【００３９】
このようなカバー部材１２０の側壁１０１，１０２への取り付けは、以下のようにして行う。先ず、貫通穴１１１，１１２に保護部材４０，４０を取り付けた後に、カバー部材１２０の上記延出部１２１を機枠１ａの内側から貫通穴１１１，１１２に差し込んで、外縁部１２９を貫通穴１１１，１１２の周囲の縁部に突き当てる。これにより、延出部１２１が貫通穴１１１，１１２の底面を覆った状態となる一方、凹室部１２０ａの内側領域が貫通穴１１１，１１２よりも機枠１ａの内側に拡がるとともに、凹室部１２０ａを形成したカバー部材１２０を、機枠１ａの内側から貫通穴１１１，１１２と該凹室が連通した状態となる。次に、この状態で、機枠１ａの内側から止着穴１３１，１３２を介して側壁１０１，１０２の止着穴１１７，１１８に対してビスなどの止着部材を螺入する。なお、このうち止着穴１１７には、カバー部材１２０の上側の止着穴１３１だけでなく、保護部材４０の一方の止着穴４３も一括して固定されている。これにより、図３及び図６（貫通穴１１１側の図示を省略）に示すように、カバー部材１２０が側壁１０１，１０２に固定された状態となる。すなわち、凹室部１２０ａを形成したカバー部材１２０を、機枠１ａの内側から貫通穴１１１，１１２と該凹室が連通するように取り付けられる。しかも、凹室部１２０ａの内側領域が、貫通穴１１１，１１２よりも上側の領域に亘る状態となる。また、傾斜壁面部１２４は凹室部１２０ａの内側領域を上方に向けて狭めるように傾斜しているので、カバー部材１２０を側壁１０１，１０２へ取り付けた際に、機枠１ａ内部のスペースを有効活用でき、また、貫通穴１１１，１１２から挿入して折り曲げた指２５０の先を貫通穴１１１，１１２よりも上側の領域に確実に誘導でき、加えて、凹室部１２０ａの内面の隅部１３５がＲ形状（曲面形状）となっているので、例えば凹室部１２０ａを清掃する場合に、該凹室部１２０ａが拭きやすい。さらに、凹室部１２０ａは、貫通穴１１１，１１２から指２５０を挿入して、第２関節で指を折り曲げる際に奥側壁面部１２３に指２５０が当らない程度の奥行きを有する。なお、カバー部材１２０は、その外縁部１２９のうち、機枠１ａの内面との間に保護部材４０の垂直面４４が介在する部分が、該垂直面４４の厚みの分だけ、他の部分よりも機枠１ａの内側方向にずれた状態に形成されている。従って、保護部材４０を取り付けた後にカバー部材１２０を取り付けた状態では、外縁部１２９と機枠１ａの内面との間に隙間が生じない。
【００４０】
なお、側壁１０１，１０２にそれぞれ取り付けたカバー部材１２０，１２０は同じ符号を用いたが、カバー部材１２０，１２０は側壁１０１，１０２にそれぞれ取り付けた状態で互いに左右面対称になっている。
【００４１】
このように、機枠１ａの左右の両側壁１０１，１０２には、凹室部１２０ａを形成したカバー部材１２０が、機枠１ａの内側から貫通穴１１１，１１２と該凹室が連通するように取り付けられているので、貫通穴１１１，１１２を介して凹室部１２０ａの内側領域まで指２５０を挿入してパチスロ遊技機１００を持ち運ぶことができる。
【００４２】
また、カバー部材１２０が、機枠１ａの内側から貫通穴１１１，１１２と凹室部１２０ａが連通するように取り付けられているので、該凹室部１２０ａによって、該凹室部１２０ａよりも機枠１ａの内側に不正物が侵入することを防止することができ、例えば、不正にメダルを払い出されたり不正に遊技内容を変更されたりすることを防止することができる。
【００４３】
また、カバー部材１２０が機枠１ａの左右の両側壁１０１，１０２に貫通穴１１１，１１２よりも上側の領域に亘って取り付けられているので、貫通穴１１１，１１２から挿入した指２５０を、貫通穴１１１，１１２よりも上側の領域に差し入れるようにして、機枠１ａの内側で折り曲げることが可能になる。従って、パチスロ遊技機１００の本体部１を持ち運ぶ際に貫通穴１１１，１１２の上縁部を掴みやすくなる。
【００４４】
また、カバー部材１２０の凹室部１２０ａの外側と、機枠１ａの内面と、に導電性材（例えばアルミ箔シール）の貼付が施されているので、これら機枠１ａの内面及びカバー部材１２０の凹室部１２０ａの外側に施された導電性材により、電磁波を遮蔽することが可能となる。従って、機枠１ａの内側から、隣り合って設けられたパチスロ遊技機へのノイズの影響を軽減することができる。さらに、隣り合って設けられたパチスロ遊技機或いは島設備からのノイズの影響を確実に軽減することができる。
【００４５】
また、載置部材６０は、図３に示すように、例えば、奥行きが保護部材４０，４０の支持部５０，５０の上面部５１，５１と略同一に設定され、かつ、左右幅が機枠１ａの内側の左右幅と略同一に設定された金属製の板状のものである。この載置部材６０は、リール装置２００を載置するための載置面６１と、この載置面６１の手前側が略垂直下方に短く折り曲げられた手前側面６２とを備えて概略構成されている。
【００４６】
このうち、載置面６１のやや後部よりの位置には、リール装置２００の後部に係合して、該リール装置２００の後部を位置決めするための係合部６３が設けられている。この係合部６３は、例えば、載置面６１を切り欠くことで形成された切り欠き片を、前方やや上側に突出するように折り曲げ形成することにより構成されたものである。さらに、載置面６１のうち、リール装置２００が載置される部分を避けた位置、具体的には、例えば、載置面６１のうち、左右何れか一方よりの位置には、配線類を挿通するための配線用挿通孔６７が形成されている。この配線用挿通孔６７に挿通される配線類には、例えば、載置面６１よりも上方に位置するリール装置２００や制御装置７０と、該載置面６１よりも下方に位置する基板ボックス７５やホッパー８０とを電気的に接続する電気配線などが含まれる。また、載置部材６０のうち、載置面６１から手前側面６２にかけての部分には、リール装置２００の仕切り部材２１，…（図２参照）の下端部の左右方向及び奥側への移動を規制して、リール装置２００を位置決めするための位置決め用切り欠き部６６，６６，６６が形成されている。加えて、載置部材６０の手前側面６２の左右の縁部には、ビスなどの止着部材を挿通して、載置部材６０を保護部材４０，４０の固定部５５，５５に固定するための止着穴６４，６４が形成されている。さらに、手前側面６２の中央部の左右には、ビスなどの止着部材が螺入されて、該載置部材６０にリール装置２００の下部（リール収容部材２２の下部）が固定される止着穴６５，６５が形成されている。
【００４７】
次に、載置部材６０及びリール装置２００の取り付け作業について説明する。
【００４８】
載置部材６０を支持部５０，５０に取り付けるには、先ず、図４に示す状態となるように、載置部材６０を所定位置に位置決めする。この位置決めを行うためには、先ず、図８図８の（ａ）に示すように、載置部材６０を、機枠１ａの前方から支持部５０，５０の上面部５１，５１上をスライドさせて、後方（矢印Ｃ方向）に押し込む。これにより、図８の（ｂ）に示すように、該載置部材６０の後部の左右縁部がそれぞれ挟み部５２，５２と上面部５１，５１とにより挟み込まれ、かつ、該載置部材６０の後端の左右部分がそれぞれ挟み部５２，５２の基端部に当接した状態となり、図４に示すように該載置部材６０の後部が位置決めされる。なお、この段階で、載置部材６０の手前側面６２も、支持部５０，５０の固定部５５，５５に当接することで後方への移動が規制され、位置決めされた状態となる。このように位置決めされた載置部材６０は、手前側面６２の止着穴６４，６４を介して固定部５５，５５の止着穴５６，５６にビス３０，３０を螺入することで、支持部５０，５０に対し固定される。この状態では、載置部材６０の後部の左右の縁部は、支持部５０，５０の挟み部５２，５２及び上面部５１，５１によって、後方ならびに上下方向への移動が規制されている一方で、載置部材６０の手前側面６２も支持部５０，５０の固定部５５，５５に固定されている。つまり、載置部材６０は、後部（奥側部分）と前部（手前側部分）がともに支持部５０，５０に対し固定された状態となる。
【００４９】
次に、このように所定位置に固定された載置部材６０上にリール装置２００を取り付けるには、先ず、リール装置２００を所定位置に位置決めする。この位置決めを行うためには、先ず、図９の（ａ）に示すように、リール装置２００の後部を載置部材６０の載置面６１上に載置し、次いで、リール装置２００の後部に載置部材６０の係合部６３が係合するまで該リール装置２００を後方（矢印Ｄ方向）に押し込むことにより、図９の（ｂ）に示す状態となる。なお、ここで、リール装置２００のリール収容部材２２の後部には、係合部６３が係合される被係合部（例えば、被係合孔など）が設けられていることとする。従って、リール装置２００が後方に押し込まれることで、リール装置２００の後部は、載置面６１により下方向への移動が規制されるのは無論のこと、係合部６３により上方向及び後方への移動が規制された状態となる。また、この状態では、リール装置２００の各仕切り部材２１，…の下部が、載置部材６０の位置決め用切り欠き部６６，…に入り込み、該位置決め用切り欠き部６６，…によって、左右及び後方への移動が規制されて位置決めされた状態となる。このように位置決めされたリール装置２００は、該リール装置２００のリール収容部材２２の下部に形成された止着穴２２ａ，２２ａを介して、載置部材６０の手前側面６２の止着穴６５，６５に対しビスなどの止着部材を螺入することで、載置部材６０に固定される。すなわち、リール装置２００の後部は、係合部６３により載置部材６０に固定され、リール装置２００の手前側は、止着部材により載置部材６０に固定された状態となる。従って、例えば、リール装置２００を、手前側部分に加えて、奥側部分までもビス止めしたりする必要がないため、リール装置２００の位置決め固定が容易である。
【００５０】
以上のように、この第１の形態のパチスロ遊技機１００によれば、機枠１ａの左右の両側壁１０１，１０２には、凹室部１２０ａを形成したカバー部材１２０が、機枠１ａの内側から貫通穴１１１，１１２と該凹室が連通するように取り付けられているので、貫通穴１１１，１１２を介して凹室部１２０ａの内側領域まで指２５０を挿入してパチスロ遊技機１００を持ち運ぶことができる。
【００５１】
また、カバー部材１２０が、機枠１ａの内側から貫通穴１１１，１１２と凹室部１２０ａが連通するように取り付けられているので、該凹室部１２０ａにより不正物が侵入することを防止することができ、例えば、不正にメダルを払い出されたり不正に遊技内容を変更されることを防止することができる。
【００５２】
また、カバー部材１２０が機枠１ａの左右の両側壁１０１，１０２に貫通穴１１１，１１２よりも上側の領域に亘って取り付けられているので、貫通穴１１１，１１２から挿入した指２５０を、貫通穴１１１，１１２よりも上側の領域に差し入れるようにして、機枠１ａの内側で折り曲げることが可能になる。従って、パチスロ遊技機１００の本体部１を持ち運ぶ際に貫通穴１１１，１１２の上縁部を掴みやすくなる。
【００５３】
また、カバー部材１２０の凹室部１２０ａの外側と、機枠１ａの内面と、に導電性材（例えばアルミ箔シール）の貼付が施されているので、これら機枠１ａの内面及びカバー部材１２０の凹室部１２０ａの外側に施された導電性材により、電磁波を遮蔽することが可能となる。従って、機枠１ａの内側から、隣り合って設けられたパチスロ遊技機へのノイズの影響を軽減することができる。さらに、隣り合って設けられたパチスロ遊技機或いは島設備からのノイズの影響を確実に軽減することができる。
【００５４】
なお、望ましくは、カバー部材１２０と機枠１ａの内面とを電気的に接続するとよく、このようにすることで、電磁波の遮蔽効果がより高まる。具体的には、例えば、導電性を有するビスなどの止着部材によりカバー部材１２０を機枠１ａの左右の両側壁１０１，１０２に取り付けて、カバー部材１２０の外周側と機枠１ａの内面とを電気的に接続させてもよく、或いは、カバー部材１２０の外周側と機枠１ａの内面のうち少なくとも一方を、パチスロ遊技機内もしくはパチスロ遊技機外にグランド接続させてもよい。また、カバー部材１２０の凹室部１２０ａの外側と、機枠１ａの内面と、に導電性材（例えばアルミ箔シール）の貼付が施されていることとしたが、これに代えて、例えば他の金属等のメッキが施されていることとしてもよい。
【００５５】
［第２の実施の形態］第２の実施の形態のパチスロ遊技機は、以下に説明する点の他は第１の実施の形態と同様であるので、同様の構成要素については、同一の符号を付してその説明を省略する。
【００５６】
この第２の実施の形態では、カバー部材１２０の凹室部１２０ａの外側に沿って、本発明に係る金属カバー部材１４０が備えられている。
【００５７】
この金属カバー部材１４０は、図１０に示すように、カバー部材１２０の凹室部１２０ａと外縁部１２９の外周に沿って、金属カバー部材１４０を覆う形状に構成されている。すなわち、金属カバー部材１４０は、その本体部である凹室部と、該凹室部の開口側の端部に沿って、該端部と直交するように形成された外縁部と、この外縁部に設けられ、当該金属カバー部材１４０を両側壁１０１，１０２に固定するための止着穴とを備えている。また、金属カバー部材１４０をカバー部材１２０の外側に被せた状態で、金属カバー部材１４０の止着穴の位置が、カバー部材１２０の止着穴１３１，１３２に重なるように設定されている。
【００５８】
このような金属カバー部材１４０は、例えば、カバー部材１２０とともに、一括して機枠１ａに取り付けられている。すなわち、金属カバー部材１４０をカバー部材１２０の凹室部１２０ａと、外縁部１２９とを外周側から覆うように、カバー部材１２０に重ね、この状態で、金属カバー部材１４０の止着穴及びカバー部材１２０の止着穴１３１，１３２を介して、側壁１０１，１０２に対してビスなどの止着部材を螺入することで、金属カバー部材１４０とカバー部材１２０とが一括して機枠１ａに取り付けられている。
【００５９】
以上のように、この第２の実施の形態のパチスロ遊技機によれば、カバー部材１２０の凹室部１２０ａの外側に沿って金属カバー部材１４０を備えるので、機枠１ａの内面に貼付が施されている導電性材（例えばアルミ箔シール）及び金属カバー部材１４０により、電磁波を遮蔽することが可能となる。従って、機枠１ａの内側から、隣り合って設けられたパチスロ遊技機へのノイズの影響を軽減することができる。さらに、隣り合って設けられたパチスロ遊技機或いは島設備からのノイズの影響を確実に軽減することができる。なお、望ましくは、金属カバー部材１４０と機枠１ａの内面とを電気的に接続させてもよく、こうすることで、電磁波の遮蔽効果がより高まる。具体的には、例えば、導電性を有するビスなどの止着部材により金属カバー部材１４０を機枠１ａの左右の両側壁１０１，１０２に取り付けて、金属カバー部材１４０と機枠１ａの内面とを電気的に接続させてもよく、或いは、金属カバー部材１４０と機枠１ａの内面のうち少なくとも一方を、パチスロ遊技機内もしくはパチスロ遊技機外にグランド接続させてもよい。
【００６０】
なお、本発明はこの実施の形態のパチスロ遊技機に限られるものではなく、例えば、その他のパチスロ遊技機、コインではなく遊技球を用いて遊技を行うパチスロ遊技機、パチンコ遊技機、アレンジボール遊技機、雀球遊技機などの弾球遊技機等にも適用可能である。また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００６１】
請求項１記載の発明に係る遊技機によれば、凹室を形成したカバー部材を、本体枠内側から貫通穴と該凹室が連通するように取り付けられているので、貫通穴を介して凹室の内側領域まで指を挿入して遊技機を持ち運ぶことができる。また、カバー部材が、本体枠内側から貫通穴と該凹室が連通するように取り付けられているので、該凹室により不正物が侵入することを防止することができるので、例えば、不正に遊技媒体を払い出されたり不正に遊技内容を変更されることを防止することができる。
【００６２】
また、カバー部材が本体枠の左右の両側壁に貫通穴よりも上側の領域に亘って取り付けられているので、貫通穴から挿入した指を、貫通穴よりも上側の領域に差し入れるようにして、本体枠内側で折り曲げることが可能になる。従って、遊技機を持ち運ぶ際に貫通穴の上縁部を掴みやすくなる。
【００６３】
また、各貫通穴の上縁部に配設され、断面略Ｕ字状に形成された保護部材により、該上縁部に手が直接触れるのを防止できるので、貫通穴に手を差し入れて遊技機を持ち運ぶ際に、手が貫通穴の角や断面部分などに触れることがなくなって手触りがよくなる。
【００６４】
さらに、傾斜壁面部は凹室部の内側領域を上方に向けて狭めるように傾斜しているので、カバー部材を側壁へ取り付けた際に、機枠内部のスペースを有効活用でき、また、貫通穴から挿入して折り曲げた指の先を貫通穴よりも上側の領域に確実に誘導でき、加えて、凹室部の内面の隅部がＲ形状（曲面形状）となっているので、例えば凹室部を清掃する場合に、該凹室部が拭きやすい。
【００６５】
請求項２記載の発明に係る遊技機によれば、可変表示装置を載置させる載置部材を支持する支持部が、保護部材と一体的に設けられているので、部品点数が少なくて済む。しかも、保護部材を本体枠に取り付けることで、支持部の取り付けも同時に成し得るので、遊技機の製造工程を短縮でき、人件費などのコストダウンが可能となる。さらに、保護部材の支持部は、貫通穴よりも上方に位置するので、不正行為を行う目的で、貫通穴を介して貫通穴より上側部分に何らかのものを差し込もうとする際に、この侵入を載置部材又は支持部が阻止できるので、不正行為が行われる可能性をさらに低減できる。
【００６６】
また、載置部材を取り付ける際には、該載置部材を、本体枠の前方から支持部の上面部上をスライドさせて、該載置部材の後部の左右縁部がそれぞれ挟み部と上面部との間隔に挟み込まれ、かつ、該載置部材の後端の左右部分がそれぞれ挟み部の基端部に当接するまで押し込むことで、該載置部材が位置決めされるので、従来に比べて、取り付け作業の際の位置決めが容易になる。
【図面の簡単な説明】
【００６７】
【図１】本発明に係る遊技機として例示するパチスロ遊技機を示す正面図である。
【図２】前扉を開放した状態のパチスロ遊技機を示す正面図である。
【図３】本体枠とカバー部材と載置部材と保護部材を示す分解斜視図である。
【図４】本体枠にカバー部材と保護部材と載置部材を取り付けた状態を示す斜視図である。
【図５】本体枠の左右の両側壁を説明するための図である。
【図６】図４のＡ−Ａ矢視断面図である。
【図７】カバー部材を示す図であり、このうち（ａ）は斜視図、（ｂ）は側面図（図６の矢印Ｅ方向から見た図）、（ｃ）は正面図（図２と同じ向き）である。
【図８】載置部材の取り付けを説明するための図である。
【図９】可変表示装置の取り付けを説明するための図である。
【図１０】本体枠にカバー部材の外周側を覆う金属カバー部材を取り付けた状態を示す図である。
【符号の説明】
【００６８】
１ａ  機枠（本体枠）
２  前扉
４０  保護部材
５０  支持部（支持部、支持部材）
６０  載置部材
１００  パチスロ遊技機（遊技機）
１０１  側壁
１０２  側壁
１１１  貫通穴
１１２  貫通穴
１２０  カバー部材
１２０ａ  凹室部（凹室）
１４０  金属カバー部材
２００  リール装置（可変表示装置）
【図１】
0004411327.tif 000002
【図２】
0004411327.tif 000003
【図３】
0004411327.tif 000004
【図４】
0004411327.tif 000005
【図５】
0004411327.tif 000006
【図６】
0004411327.tif 000007
【図７】
0004411327.tif 000008
【図８】
0004411327.tif 000009
【図９】
0004411327.tif 000010
【図１０】
0004411327.tif 000011